(57)【特許請求の範囲】
【請求項１】
筐体の内部にパウチ形の充電池を有する電子機器において、
上記筐体の内部に着脱可能に取り付けられ、上記充電池が貼り付けられる平坦部を有する充電池ホルダを備えており、
上記平坦部は、上記充電池ホルダの背面側に配置されたメイン基板とサブ基板との間の該メイン基板と該サブ基板と厚さ方向に重ならない位置に設けられ、
上記メイン基板と上記サブ基板との間を電気的に接続するフレキシブル基板が上記平坦部を跨ぐように延びている
ことを特徴とする電子機器。
【請求項２】
請求項１に記載の電子機器において、
上記充電池ホルダは、
上記平坦部の少なくとも一部を構成する板金部と、
上記板金部の一部を覆う充電池ホルダ樹脂部とを含む
ことを特徴とする電子機器。
【請求項３】
請求項２に記載の電子機器において、
正面側に表示パネルを備え、
上記表示パネルの背面の少なくともドライバ部の背面側が、上記板金部で覆われている
ことを特徴とする電子機器。
【請求項４】
請求項１から３までのいずれか１つに記載の電子機器において、
上記充電池ホルダは、上記充電池が貼り付けられた状態で、少なくとも該充電池の全体が平板状のリアホルダによって上記筐体にネジ止めされている
ことを特徴とする電子機器。
【発明の詳細な説明】
【技術分野】
【０００１】
本発明は、筐体の内部にパウチ形の充電池を有する電子機器に関する。
【背景技術】
【０００２】
近年、いわゆるパウチ形充電池という、例えば薄板状のリチウムイオン電池よりなる充電池が、特にスマートフォンなどの携帯端末等で使用されるようになってきている。このパウチ形充電池は、ポリマーによる電解質のゲル化により、薄型且つ軽量なものとなっている。このパウチ形充電池は、例えば外装がアルミラミネートフィルムなどの強度の低い部材からできている。このようなパウチ形充電池は、装置内部に両面テープなどで接着されることが多い。
【０００３】
そこで、接着される充電池をリサイクル時に剥がしやすくするために、電池取外しシートを設けることが知られている（例えば、特許文献１参照）。
【０００４】
一方、特許文献２のように枠状のフレームの空洞部分に充電池を嵌め込むような構造もある。
【先行技術文献】
【特許文献】
【０００５】
【特許文献１】特開２０１３−１８２７６７号公報
【特許文献２】特開２０１３−２５５０２３号公報
【発明の概要】
【発明が解決しようとする課題】
【０００６】
しかしながら、特許文献１のものでは、分解廃棄を前提としているので、電池取外しシートを用いても充電池を取り外すときに、パウチ形の充電池が変形してしまって再利用することができないという問題がある。
【０００７】
一方で、特許文献２のような枠状フレームにパウチ形充電池を取り付けると、パウチ形充電池自体は強度が弱いので、電子機器に力が加わったときに変形して発熱等の異常を発生させるおそれがある。
【０００８】
本発明は、かかる点に鑑みてなされたものであり、その目的とするところは、パウチ形の充電池を安全に固定できると共に、取外し時に変形しないようにして再利用できるようにすることにある。
【課題を解決するための手段】
【０００９】
上記の目的を達成するために、この発明では、筐体に対して脱着可能な充電池ホルダの平坦部にパウチ形の充電池を貼り付けるようにした。
【００１０】
具体的には、本発明では、筐体の内部にパウチ形の充電池を有する電子機器において、
上記筐体の内部に着脱可能に取り付けられ、上記充電池が貼り付けられる平坦部を有する充電池ホルダを備えており、
上記平坦部は、上記充電池ホルダの背面側に配置されたメイン基板とサブ基板との間の該メイン基板と該サブ基板と厚さ方向に重ならない位置に設けられ、
上記メイン基板と上記サブ基板との間を電気的に接続するフレキシブル基板が上記平坦部を跨ぐように延びている。
【００１１】
上記の構成によると、電子機器の修理時に充電池だけを外すのではなく、充電池ホルダごと充電池を取り外せばよいので、充電池を引きはがす必要がなく、強度の弱いパウチ形の充電池が変形しない。修理後には、充電池を貼り付けたまま充電池ホルダを筐体内に収容すればよいので、修理作業も容易である。
【発明の効果】
【００１２】
以上説明したように、本発明によれば、筐体の内部に着脱可能に取り付けられる充電池ホルダの平坦部に充電池を貼り付けるようにしたことにより、パウチ形の充電池を安全に固定できると共に、取外し時に変形しないようにして再利用することができる。
【図面の簡単な説明】
【００１３】
【図１】図２（ａ）のＩ−Ｉ線拡大断面図である。
【図２】本発明の実施形態に係るスマートフォンを示し、（ａ）が正面側から見た斜視図で、（ｂ）が背面側から見た斜視図である。
【図３】スマートフォンの分解斜視図である。
【図４】アースホルダ組品を背面側から見た斜視図である。
【図５】アースホルダ組品を正面側から見た斜視図である。
【図６】充電池固定用の両面テープが貼り付けられたアースホルダを背面側から見た斜視図である。
【発明を実施するための形態】
【００１４】
以下、本発明の実施形態を図面に基づいて説明する。
【００１５】
図１〜図３は本発明の実施形態の電子機器としてのスマートフォン１を示し、このスマートフォン１は、カバーパネル２ａ及び表示パネル２ｂを有する表示部２と、表示部２を覆う、筐体としての正面側キャビネット３とを備えている。カバーパネル２ａは、タッチパネルと一体になっていてもよいし、ガラスパネル又はアクリルパネルのみで構成されていてもよい。正面側キャビネット３の背面は、板金部としてのアース板金４ａ及び充電池ホルダ樹脂部４ｂを有する充電池ホルダ４（図５及び図６に示す）で覆われている。充電池ホルダ４は、充電池６を貼り付けた状態で、例えばリアホルダ（電池押さえ）９に覆われてビス５０により、正面側キャビネット３の背面に固定されている。充電池ホルダ４の背面は、板状のリアパネル５で覆われている。充電池ホルダ４とリアパネル５との間には、矩形板状のパウチ形の充電池６が配置され、その下方には、メイン基板７が配置されている。メイン基板７は、フレキシブル基板７ａで上方のサブ基板８に接続されている。充電池ホルダ４、充電池６、メイン基板７、サブ基板８等は、充電池ホルダ組品１０としてユニット構成することもできる。なお、スマートフォン１の四隅は、コーナプロテクタ３ａで覆われて保護されている。
【００１６】
そして、図４にも示すように、本実施形態のパウチ形の充電池は、例えば架橋ポリマーにより電解質がゲル化されており、外装がアルミラミネートフィルムなどの強度の低い部材からできている。この強度の弱い外装部分が、充電池６を固定するための両面テープ１１（接着剤でもよい）によって充電池ホルダ４の背面側に設けた平坦部４ｃに貼り付けられている。平坦部４ｃは、下側のメイン基板７と上側のサブ基板８との間の、上下中間部分にこれらの基板７，８と重ならないように上下に並べられている。平坦部４ｃの大部分が、アース板金４ａで構成されているので、充電池６の放熱という点で有利となっている。また平坦部４ｃと充電池６との間にフレキシブル基板７ａが通っている。充電池６とメイン基板７とサブ基板８とが厚さ方向に重ならないように上下に並べられると共に、フレキシブル基板７ａ自体は厚さが薄いので、スマートフォン１の厚さが厚くならないように工夫がされている。また、熱源が１箇所に集まらないように配置されている。
【００１７】
図３に示すように、表示パネル２ｂの背面下側には、ドライバ部２ｃなどの電子部品が設けられている。少なくとも、このドライバ部２ｃを含む部分に対応するように、正面側キャビネット３の下側には、下側開口３ｂが形成されている。図５に示すように、この下側開口３ｂに対応する充電池ホルダ４の部分は、比較的充電池ホルダ樹脂部４ｂがなく、アース板金４ａが露出した部分が多く形成されている。また、その上側も樹脂のないアース板金４ａが露出した部分が多く形成されている。充電池ホルダ４は、その周縁部分を除き、充電池ホルダ樹脂部４ｂができるだけ少なくなるようにしてインサート成形時にアース板金４ａが熱によって変形しないようになっていると共に、インサート成形時にアース板金４ａを射出成形型内において押さえる部分を多くすることができるようになっている。
【００１８】
このように本実施形態では、スマートフォン１の修理時に充電池６だけを外すのではなく、充電池ホルダ４ごと充電池６を取り外せばよいので、充電池６を無理に引きはがす必要がなく、強度の弱いパウチ形の充電池６が変形しない。修理後には、充電池６を貼り付けたまま、リアホルダ９を締結して充電池ホルダ４を正面側キャビネット３に固定すればよいので、修理作業も容易である。
【００１９】
また、充電池ホルダ樹脂部４ｂでアース板金４ａを補強することで、板金単品に比べて強度が向上するため、損傷を受けやすいパウチ形の充電池６をしっかりと保護できる。また、板金を利用することで、全体の厚さを薄くすることができる。さらに充電池ホルダ樹脂部４ｂは、複雑な形状に成形することもでき、基板７，８など必要な部品を固定できるので、組付及び分解が容易となる。
【００２０】
また、表示パネル２ｂの背面のドライバ部２ｃを含む大部分をアース板金４ａで覆うことで、表示パネル２ｂが発する電気的ノイズを金属製のアース板金４ａによって遮断することができる。
【００２１】
さらに、少なくとも充電池６の全体を覆う平板状のリアホルダ９によって正面側キャビネット３にビス５０によってネジ止めしているので、充電池６に外部から加わる荷重を低減することができる。また、充電池ホルダ４を充電池６ごと正面側キャビネット３にネジ止めすることで、充電池ホルダ４及び充電池６の浮きあがりを防止することができる。
【００２２】
また、平坦部４ｃを充電池ホルダ４の背面側に配置されたメイン基板７とサブ基板８との間に、これら基板７，８と厚さ方向に重ならない位置に上下に並べて設けたので、スマートフォン１の厚さを最小限とすることができ、また発熱源を分散させることができる。
【００２３】
したがって、本実施形態に係るスマートフォン１によれば、正面側キャビネット３の内部に着脱可能に取り付けられた充電池ホルダ４の平坦部４ｃに充電池６を貼り付けるようにしたことにより、パウチ形の充電池６を安全に固定できると共に、取外し時に変形しないようにして再利用することができる。
【００２４】
（その他の実施形態）
本発明は、上記実施形態について、以下のような構成としてもよい。
【００２５】
すなわち、上記実施形態では、電池押さえとしてリアホルダ９を設けたが、このリアホルダ９は、なくてもよい。
【００２６】
上記実施形態では、電子機器は、スマートフォン１としたが、携帯電話機、タブレット端末、ＰＨＳ（Personal Handy-phone System）、ＰＤＡ(PersonalDigital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      スマートフォン（電子機器）
２      表示部
２ａ    カバーパネル
２ｂ    表示パネル
２ｃ    ドライバ部
３      正面側キャビネット
３ａ    コーナプロテクタ
３ｂ    下側開口
４      充電池ホルダ
４ａ    アース板金
４ｂ    充電池ホルダ樹脂部
４ｃ    平坦部
５      リアパネル
６      充電池
７      メイン基板
７ａ    フレキシブル基板
８      サブ基板
９      リアホルダ
１０      充電池ホルダ組品
１１      両面テープ
５０      ビス
【図１】
0006462300.tif 000002
【図２】
0006462300.tif 000003
【図３】
0006462300.tif 000004
【図４】
0006462300.tif 000005
【図５】
0006462300.tif 000006
【図６】
0006462300.tif 000007